(57)【要約】  有機酸及び／又は有機酸の塩から選ばれる１種以上であって、（Ａ）界面活性剤、（Ｂ）Ｃ10−Ｃ18のパラフィン系炭化水素、（Ｃ）エタノール及び／又はイソプロピルアルコール、（Ｄ）２０℃における水に対する溶解度が７質量％以下であるグリコールエーテル系溶剤、及び（Ｅ）水を含有する洗浄液と、（Ｆ）噴射剤とをエアゾール容器に充填してなる発泡性洗剤組成物に配合され、エアゾール容器から噴霧された発泡性洗剤組成物の泡状体を噴霧対象物に付着させた後、泡状体の消泡時間を所定時間以内に短縮する消泡効果増強剤。【特許請求の範囲】
【請求項１】
有機酸及び／又は有機酸の塩から選ばれる１種以上であって、
（Ａ）界面活性剤、（Ｂ）Ｃ10−Ｃ18のパラフィン系炭化水素、（Ｃ）エタノール及び／又はイソプロピルアルコール、（Ｄ）２０℃における水に対する溶解度が７質量％以下であるグリコールエーテル系溶剤、及び（Ｅ）水を含有する洗浄液と、（Ｆ）噴射剤とをエアゾール容器に充填してなる発泡性洗剤組成物に配合され、
前記エアゾール容器から噴霧された前記発泡性洗剤組成物の泡状体を噴霧対象物に付着させた後、前記泡状体の消泡時間を所定時間以内に短縮することを特徴とする消泡効果増強剤。
【請求項２】
前記消泡時間を２０秒以内に短縮することを特徴とする請求項１に記載の消泡効果増強剤。
【請求項３】
クエン酸、リンゴ酸、コハク酸の塩から選ばれる１種以上であることを特徴とする請求項１又は請求項２に記載の消泡効果増強剤。
【請求項４】
前記洗浄液に対する前記有機酸及び／又は有機酸の塩の配合量が０．５質量％以上５質量％以下であることを特徴とする請求項１乃至請求項３のいずれかに記載の消泡効果増強剤。
【請求項５】
（Ａ）界面活性剤、（Ｂ）Ｃ10−Ｃ18のパラフィン系炭化水素、（Ｃ）エタノール及び／又はイソプロピルアルコール、（Ｄ）２０℃における水に対する溶解度が７質量％以下であるグリコールエーテル系溶剤、及び（Ｅ）水と、を含有する洗浄液と、（Ｆ）噴射剤と、をエアゾール容器に充填してなる発泡性洗剤組成物であって、
（Ｇ）消泡効果増強剤として有機酸及び／又は有機酸の塩から選ばれる１種以上を前記洗浄液に配合することにより、
前記エアゾール容器から噴霧された前記発泡性洗剤組成物の泡状体を噴霧対象物に付着させた後、２０秒以内に消泡させることによって前記噴霧対象物の洗浄効率を高めた発泡性洗剤組成物。
【請求項６】
前記消泡効果増強剤が、クエン酸、リンゴ酸、コハク酸の塩から選ばれる１種以上であることを特徴とする請求項５に記載の発泡性洗剤組成物。
【請求項７】
前記洗浄液に対する前記有機酸及び／又は有機酸の塩の配合量が０．５質量％以上５質量％以下であることを特徴とする請求項５又は請求項６に記載の発泡性洗剤組成物。
【発明の詳細な説明】
【技術分野】
【０００１】
本発明は、網戸やエアコンフィルター等の洗浄をするにあたり、エアゾールの形態で使用される洗剤組成物に配合される消泡効果増強剤、およびそれを含有する発泡性洗剤組成物に関する。発泡性洗剤組成物は、噴霧された泡状体が噴霧対象物に付着して優れた洗浄効果を発揮後、その泡状体を消泡せしめることによって噴霧対象物の洗浄効率を高める。
【背景技術】
【０００２】
従来、網戸の洗浄には、スポンジやタワシ等でこすり洗いする方法や、市販の洗浄剤を用いて洗浄する方法が行われている。しかし、スポンジ等でこすり洗いする方法では網面を傷めたり、たるみを生じたりする恐れがある。そのため、網戸用の洗浄剤としては、擦らなくても汚れが落ちる高い洗浄力を有する洗浄剤が必要である。また、洗浄剤をエアゾール製剤として、網戸に吹き付ける場合には、泡が網面を通過しないように、特に発泡性が重要となる。また、噴霧対象物の洗浄効果において泡状体の方が液状体よりも有利なことが知られており、例えば、泡の付着率の改善を目的とした網戸用洗浄剤組成物が知られている。更に、付着した泡状体が、消泡することで一層、洗浄力を高めることも知られている。更に、網戸、フィルターの洗浄においては、拭き取り性が洗浄力、作業性に影響することを考慮すると、速やかに消泡することは、より一層、洗浄効果を高めるといえる。【０００３】
網戸用の洗浄剤組成物中に消泡剤を配合する提案として、例えば特許文献１には、（Ａ）界面活性剤、（Ｂ）油剤、（Ｃ）エタノール及び／又はイソプロピルアルコール（ＩＰＡ）、（Ｄ）２０℃における水に対する溶解度が７質量％以下であるグリコールエーテル系溶剤、及び（Ｅ）水を含有する洗浄液と、（Ｆ）噴射剤とをエアゾール容器に充填してなる発泡性洗剤組成物であって、エアゾール容器から噴霧された泡状体を噴霧対象物に付着させた後、３０秒以内に消泡させることによって噴霧対象物の洗浄効率を高めた発泡性洗剤組成物が開示されている。上述した特許文献１によれば、十分な発泡力を有し噴霧された泡状体の殆どが網戸やフィルターを突き抜けることなく、付着して優れた洗浄効果を発揮後、その泡状体を速やかに消泡させることによって噴霧対象物の洗浄効率を高めることができる。
【先行技術文献】
【特許文献】
【０００４】
【特許文献１】特開２０１３−１８１１５３号公報
【発明の概要】
【発明が解決しようとする課題】
【０００５】
しかしながら、泡状体を噴霧対象物に付着させた後、３０秒以内に消泡せしめる特許文献１の発泡性洗剤組成物では、必ずしも消泡効果が十分であるとはいえず、より速やかに消泡することによって更に拭き取り性、洗浄効率を高めた発泡性洗剤組成物が望まれていた。【０００６】
本発明は、上記問題点に鑑み、噴霧対象物に付着した泡状体の消泡効果を向上させることができる消泡効果増強剤、およびそれを含有する発泡性洗剤組成物を提供することを目的とする。
【課題を解決するための手段】
【０００７】
上記目的を達成するために本発明は、有機酸及び／又は有機酸の塩から選ばれる１種以上であって、（Ａ）界面活性剤、（Ｂ）Ｃ10−Ｃ18のパラフィン系炭化水素、（Ｃ）エタノール及び／又はイソプロピルアルコール、（Ｄ）２０℃における水に対する溶解度が７質量％以下であるグリコールエーテル系溶剤、及び（Ｅ）水を含有する洗浄液と、（Ｆ）噴射剤とをエアゾール容器に充填してなる発泡性洗剤組成物に配合され、前記エアゾール容器から噴霧された前記発泡性洗剤組成物の泡状体を噴霧対象物に付着させた後、前記泡状体の消泡時間を所定時間以内に短縮することを特徴とする消泡効果増強剤である。【０００８】
また本発明は、上記構成の消泡効果増強剤において、前記消泡時間を２０秒以内に短縮することを特徴としている。【０００９】
また本発明は、上記構成の消泡効果増強剤において、前記有機酸が、クエン酸、リンゴ酸、およびコハク酸から選ばれる１種以上であることを特徴としている。【００１０】
また本発明は、上記構成の消泡効果増強剤において、前記洗浄液に対する前記有機酸及び／又は有機酸の塩の配合量が０．５質量％以上５質量％以下であることを特徴としている。【００１１】
また本発明は、（Ａ）界面活性剤、（Ｂ）Ｃ10−Ｃ18のパラフィン系炭化水素、（Ｃ）エタノール及び／又はイソプロピルアルコール、（Ｄ）２０℃における水に対する溶解度が７質量％以下であるグリコールエーテル系溶剤、及び（Ｅ）水と、を含有する洗浄液と、（Ｆ）噴射剤と、をエアゾール容器に充填してなる発泡性洗剤組成物であって、（Ｇ）消泡効果増強剤として有機酸及び／又は有機酸の塩から選ばれる１種以上を前記洗浄液に配合することにより、前記エアゾール容器から噴霧された前記発泡性洗剤組成物の泡状体を噴霧対象物に付着させた後、２０秒以内に消泡させることによって前記噴霧対象物の洗浄効率を高めた発泡性洗剤組成物である。【００１２】
また本発明は、上記構成の発泡性洗剤組成物において、前記消泡効果増強剤が、クエン酸、リンゴ酸、およびコハク酸の塩から選ばれる１種以上であることを特徴としている。【００１３】
また本発明は、上記構成の発泡性洗剤組成物において、前記洗浄液に対する前記有機酸及び／又は有機酸の塩の配合量が０．５質量％以上５質量％以下であることを特徴としている。
【発明の効果】
【００１４】
本発明の第１の構成によれば、発泡性洗剤組成物の消泡効果増強剤として、有機酸及び／又は有機酸の塩の１種以上を用いることにより、噴霧対象物に付着した発泡性洗剤組成物の泡状体の消泡効果を向上させることができ、噴霧された泡状体が噴霧対象物に付着して優れた洗浄効果を発揮後、その泡状体の消泡時間を所定時間以内に短縮することによって噴霧対象物の洗浄効率を高めることができる。従って、高い洗浄性と洗浄効率とを兼ね備えた発泡性洗剤組成物を簡単に且つ低コストで製造可能となる。【００１５】
また、本発明の第２の構成によれば、上記第１の構成の消泡効果増強剤において、泡状体の消泡時間を２０秒以内に短縮することにより、噴霧対象物に付着した泡状体を速やかに消泡させて噴霧対象物の洗浄効率をより効果的に高めることができる。【００１６】
また、本発明の第３の構成によれば、上記第１又は第２の構成の消泡効果増強剤において、クエン酸、リンゴ酸、およびコハク酸の塩から選ばれる１種以上を用いることにより、噴霧対象物に付着した泡状体の消泡効果を顕著に向上させることができ、安全性にも優れた発泡性洗剤組成物を簡単に且つ低コストで製造可能となる。【００１７】
また、本発明の第４の構成によれば、上記第１乃至第３のいずれかの構成の消泡効果増強剤において、洗浄液に対する有機酸及び／又は有機酸の塩の配合量を０．５質量％以上５質量％以下とすることにより、有機酸及び／又は有機酸の塩の配合量を、噴霧対象物に付着した泡状体の消泡効果を十分に向上させるために必要十分な配合量とすることができ、噴霧された泡状体の噴霧対象物への付着性と、付着した泡状体の速やかな消泡性とを兼ね備えた発泡性洗剤組成物を製造可能となる。【００１８】
また、本発明の第５の構成によれば、（Ａ）界面活性剤、（Ｂ）Ｃ10−Ｃ18のパラフィン系炭化水素、（Ｃ）エタノール及び／又はイソプロピルアルコール、（Ｄ）２０℃における水に対する溶解度が７質量％以下であるグリコールエーテル系溶剤、及び（Ｅ）水と、を含有する洗浄液と、（Ｆ）噴射剤と、をエアゾール容器に充填してなる発泡性洗剤組成物に、（Ｇ）消泡効果増強剤として有機酸及び／又は有機酸の塩から選ばれる１種以上を洗浄液に配合することにより、噴霧された発泡性洗剤組成物の泡状体の殆どが噴霧対象物に付着して優れた洗浄効果を発揮後、その泡状体を２０秒以内に速やかに消泡させることによって噴霧対象物の洗浄効率を高めることができ、安全性にも優れた発泡性洗剤組成物となる。【００１９】
また、本発明の第６の構成によれば、上記第５の構成の発泡性洗剤組成物において、消泡効果増強剤としてクエン酸、リンゴ酸、コハク酸の塩から選ばれる１種以上を配合することにより、噴霧対象物に付着した泡状体の消泡効果を顕著に向上させることができ、安全性にも優れた発泡性洗剤組成物となる。【００２０】
また、本発明の第７の構成によれば、上記第５又は第６の構成の発泡性洗剤組成物において、洗浄液に対する有機酸及び／又は有機酸の塩の配合量を０．５質量％以上５質量％以下とすることにより、噴霧された発泡性洗剤組成物の泡状体の噴霧対象物への付着性と、付着した泡状体の速やかな消泡性とを兼ね備えた発泡性洗剤組成物となる。
【発明を実施するための形態】
【００２１】
以下、本発明の発泡性洗剤組成物について詳細に説明する。本発明の発泡性洗剤組成物は、（Ａ）界面活性剤、（Ｂ）Ｃ10−Ｃ18のパラフィン系炭化水素、（Ｃ）エタノール及び／又はイソプロピルアルコール（ＩＰＡ）、（Ｄ）２０℃における水に対する溶解度が７質量％以下であるグリコールエーテル系溶剤、（Ｇ）有機酸及び／又は有機酸の塩、及び（Ｅ）水を含有する洗浄液と、（Ｆ）噴射剤とをエアゾール容器に充填したものである。
【００２２】
本発明の発泡性洗剤組成物に配合される成分（Ａ）界面活性剤としては、十分な発泡性と洗浄力を有する限り、液体洗浄剤に通常使用されるノニオン、アニオン、両性界面活性剤のいずれであってもよい。ノニオン界面活性剤としては、例えばポリオキシエチレンアルキルエーテル、ポリオキシエチレンアルキルフェニルエーテル、ポリオキシエチレン高級脂肪酸エステル、ポリオキシエチレンソルビタン脂肪酸エステル、ポリオキシエチレングリセリン脂肪酸エステル、ポリオキシエチレン硬化ヒマシ油、ヤシ油脂肪酸ジエタノールアミド、ポリオキシエチレンポリオキシプロピレンアルキルエーテル、脂肪酸アルカノールアミド、アルキルアミンオキシドなどが挙げられる。
【００２３】
アニオン界面活性剤としては、例えば脂肪酸石けん、アルキルベンゼンスルホン酸塩、直鎖アルキルベンゼンスルホン酸塩、アルキル硫酸塩、α―オレフィンスルホン酸塩、アルキルリン酸エステル塩、ポリオキシエチレンアルキルエーテル硫酸塩、ポリオキシエチレンアルキルフェニルエーテル硫酸塩、ポリオキシエチレンアルキルエーテルリン酸塩などが挙げられる。
【００２４】
また、両性界面活性剤としては、例えばアルキルカルボキシベタイン型、アルキルアミノカルボン酸型、アルキルイミダゾリン型などが挙げられる。発泡性や洗浄力の点からアルキルアミンオキシド系界面活性剤およびアルキルカルボキシベタイン型両性界面活性剤が好ましく、中でもアルキルアミンオキシド系界面活性剤はより好ましい。カチオン系殺菌剤の例としては、１，４−ビス（３，３’−（１−デシルピリジニウム）メチルオキシ）ブタンジブロマイド等のジェミニ型４級アンモニウム塩、塩化ベンザルコニウム、塩化ジデシルジメチルアンモニウム、塩化ベンゼトニウム、ポリヘキサメチレンビグアナイド塩、ポリヘキサメチレングアニジン塩、ポリリジン等が挙げられる。これらの界面活性剤は１種以上を組み合わせて用いることができ、洗浄液中に０．５〜５．０質量％配合されるのが好ましく、この範囲では、網面への付着性に優れている。
【００２５】
成分（Ｂ）のＣ10−Ｃ18のパラフィン系炭化水素としては、ＩＰソルベント１６２０、ＩＰソルベント２０２８、ＩＰソルベント２８３５（以上出光興産社製）、アイソパーＡ、アイソパーＣ、アイソパーＤ、アイソパーＥ、アイソパーＧ、アイソパーＨ、アイソパーＫ、アイソパーＬ、アイソパーＭ（以上、東燃ゼネラル石油社製）、ネオチオゾールなどのパラフィン系炭化水素があげられ、これらは単独でまたは２種以上を混合して用いることができるが、なかでもイソパラフィン系炭化水素が好ましく用いられる。パラフィン系炭化水素は洗浄液中に０．５〜３．０質量％配合されるのが好ましい。この範囲では、消泡性や当初の泡立ち性にも優れている。
【００２６】
成分（Ｃ）のエタノール及び／又はイソプロピルアルコール（ＩＰＡ）は、それぞれ単独で、又は組み合わせて用いることができ、洗浄液中に２．０〜２０質量％配合されるのが好ましい。この範囲では、十分な洗浄力および泡性能が得られ、泡の飛び散りが丁度よいなどの利点がある。
【００２７】
本発明の発泡性洗剤組成物の洗浄液には、成分（Ｄ）２０℃における水に対する溶解度が７質量％以下であるグリコールエーテル系溶剤が配合される。従来、消泡剤として油剤を配合する製剤は多く報告されているが、単に油剤を配合しただけでは、泡切れが良すぎて網戸やフィルターに展着することが難しく、突き抜けが多く発生する。そこで、鋭意研究を行った結果、本発明者らは、（Ｄ）２０℃における水に対する溶解度が７質量％以下であるグリコールエーテル系溶剤を配合することによって、網戸やフィルターに十分展着、付着後、泡状体を速やかに消泡させることが可能となり、特に垂直面では、付着した泡状体が垂れ落ちる前に消泡することにより、効率よく洗浄剤が対象物に作用して洗浄力が高まるだけでなく、泡状体が速やかに消泡することにより、洗浄作業効率を大いに高め得ることが可能となることを見出した。尚、２０℃における水に対する溶解度が７質量％以下であるグリコールエーテル系溶剤としては、一般式Ｉの
化合物
【化１】
2018021110.tif 000002
（式Ｉ中、Ｒ1はＣ3−Ｃ6のアルキル基又は置換してもよいフェニル基を
表わし、Ｒ2はＣ2−Ｃ3のアルキル基を表わし、ｍは１〜３の整数である。）
が好適に使用される。
【００２８】
一般式Ｉの化合物としては、フェノキシエタノール、プロピレングリコールモノブチルエーテル、ジプロピレングリコールモノブチルエーテル、トリプロピレングリコールモノブチルエーテルなどがあげられるが、勿論これらに限定されない。これらの中では、溶解性や配合のし易さなどからフェノキシエタノールが最も好ましい。（Ｄ）２０℃における水に対する溶解度が７質量％以下であるグリコールエーテル系溶剤は洗浄液中に０．１〜５．０質量％配合されるのが好ましい。０．１質量％未満では消泡性に問題が出る場合があり、一方、５．０質量％を超えると当初の泡立ちに影響を及ぼす場合がある。
【００２９】
本発明の発泡性洗剤組成物の洗浄液には、（Ｅ）水と共に、成分（Ｇ）有機酸及び／又は有機酸の塩が配合される。本発明の発泡性殺菌組成物に配合される有機酸及び／又は有機酸の塩は、エアゾール容器から噴霧された発泡性殺菌組成物の泡状体を噴霧対象物に付着させた後、泡状体の消泡時間を短縮する消泡効果増強剤として用いられる。従来、有機酸の塩をｐＨ調整剤、キレート剤として洗剤組成物に配合することは知られていたが、発泡性殺菌組成物の泡状体の消泡時間を短縮する消泡効果増強剤として作用することは、本発明者らによって初めて発見された知見である。
【００３０】
本発明の発泡性洗剤組成物における有機酸及び／又は有機酸の塩の配合量は、特に限定されないものの、配合量が少なすぎる場合は、消泡効果が十分に増強されない可能性がある。一方、配合量が多すぎても増強効果の向上が見られない。有機酸及び／又は有機酸の塩の配合量は発泡性洗剤組成物全体に対して０．１質量％以上１０質量％以下の範囲で配合することが好ましく、後述の実施例において示すように、有機酸の塩を発泡性洗剤組成物全体に対して０．５質量％以上５質量％以下の範囲で配合することがより好ましい。
【００３１】
本発明において消泡効果増強剤として用いる有機酸の具体例としては、クエン酸、リンゴ酸、コハク酸、乳酸、エチレンジアミン四酢酸（ＥＤＴＡ）等が挙げられる。有機酸の塩の具体例としては、上記有機酸のナトリウム塩、カリウム塩等が挙げられる。これらの化合物は単独で用いても良いし、２種以上を混合して用いても良い。なお、有機酸を洗浄液に配合した場合、洗浄液が酸性となり皮膚に対する刺激性が発現するおそれがある。そのため、洗浄液が弱アルカリ性となる有機酸の塩を配合することが好ましい。
【００３２】
上記の有機酸の塩の中でも、特に化学製品として汎用されていて入手が容易であり、安全性が高く、且つ、グリコールエーテル系溶剤と共に配合したとき高い消泡効果の増強性を発揮する、クエン酸、リンゴ酸、コハク酸の塩がより好ましい。なお、本発明の効果に支障を来たさないかぎり、脂肪酸エステル系消泡剤、高級アルコール系消泡剤、ポリエーテル系消泡剤などの他種の消泡剤を添加しても構わない。
【００３３】
上記の成分が配合された本発明の発泡性洗剤組成物の洗浄液は、（Ｆ）噴射剤と共にエアゾール容器に充填される。噴射剤としては、２０℃における圧力が０．２３〜０．５０ＭＰａのＬＰＧを主体としたものがよく、もちろんこれにジメチルエーテル（ＤＭＥ）や圧縮ガス（窒素、炭酸ガスなど）を必要に応じて添加しても構わない。なお、発泡性洗剤組成物における洗浄液と噴射剤の配合比率としては、５０〜８５容量％／１５〜５０容量％が適当である。
【００３４】
本発明で用いられる噴射ボタンとしては、泡を形成するボタンであればいずれであってもよいが、ステムから噴口先端までの距離が５〜５０ｍｍであることが好ましい。５０ｍｍを超えるとボタンの噴口付近に泡がたまるアフタードローが多くなるなど不都合を生じるおそれがある。
【００３５】
更に、本発明の発泡性洗剤組成物には、その他の成分として、必要に応じて、無機抗菌剤、有機抗菌剤、防藻剤、防錆剤、キレート剤、ｐＨ調整剤、防錆剤（安息香酸ナトリウムなど）、除菌剤、消臭剤、虫除け剤、香料等を、本発明の効果を損なわない範囲で適宜配合してもよい。なお、前述したように消泡効果増強剤として有機酸を配合すると洗浄液が酸性になるため、ｐＨ調整剤を配合して洗浄液のｐＨを、６．０〜８．０程度に調整して、より安全性の高い発泡性洗剤組成物とすることができる。
【００３６】
こうして得られた本発明の発泡性洗剤組成物を、網戸やフィルターに塗布あるいはスプレーすることで、噴霧された泡状体の殆どが網戸やフィルターを突き抜けることなく、付着して優れた洗浄効果を発揮後、その泡状体を速やかに消泡させることによって噴霧対象物の洗浄効率を高めることができる。
【００３７】
また、本発明の発泡性洗剤組成物は、（Ａ）界面活性剤、（Ｂ）Ｃ10−Ｃ18のパラフィン系炭化水素、（Ｃ）エタノール及び／又はイソプロピルアルコール、（Ｄ）２０℃における水に対する溶解度が７質量％以下であるグリコールエーテル系溶剤、（Ｇ）有機酸及び／又は有機酸の塩を（Ｅ）水に配合した洗浄液を、（Ｆ）噴射剤と共にエアゾール容器に充填するだけの、非常に単純な組成である。そのため、製造が簡便なうえ、安全性が極めて高いものである。
【００３８】
なお、本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。以下、実施例により本発明の効果について更に具体的に説明するが、本発明はこれらの実施例に制約されるものではない。
【実施例１】
【００３９】
[試験液の調製]
（Ａ）界面活性剤としてラウリルジメチルアミンオキシド（商品名：カデナックスＤＭ１２Ｄ−Ｗ、ライオン・スペシャリティ・ケミカルズ社製）を２．０質量％、（Ｂ）Ｃ10−Ｃ18のパラフィン系炭化水素としてＩＰソルベント２０２８（Ｃ10−Ｃ12イソパラフィン、出光興産社製）を１．０質量％、（Ｃ）９５％エタノール（和光純薬工業社製）を１０質量％、（Ｄ）２０℃における水に対する溶解度が７質量％以下であるグリコールエーテル系溶剤としてフェノキシエタノールを１．５質量％、（Ｇ）有機酸の塩としてクエン酸三ナトリウムを２．０質量％、香料を０．０５質量％と、残部として（Ｅ）水を含有する洗浄液を調製した。この洗浄液のｐＨは７．９であった。上記洗浄液７０容量％をエアゾール容器に入れ、（Ｆ）噴射剤としてのＬＰＧを３０容量％加圧充填して本発明の発泡性洗剤組成物を得た。【００４０】
このときのＬＰＧの圧力は０．２９ＭＰａ（２０℃）であった。また、噴射ボタンは広角メカブレボタン（孔径０．５ｍｍ、三谷バルブ社製）を使用した。【００４１】
面積が２ｍ2の金属製の網戸に対し、本発明の発泡性洗剤組成物を３０ｍＬ処理したところ、噴霧された泡状体が網戸に付着して優れた洗浄効果を発揮した。その泡状体は１５秒以内にストロボ状にパチパチと消泡し液状になったので、布で軽く拭き取るだけで網戸をきれいにすることができた。このような網戸の洗浄作業は、効率的で極めて実用性の高いものであった。
【実施例２】
【００４２】
［洗浄力・泡性能の確認試験］
実施例１に準じ、ラウリルジメチルアミンオキシド（商品名：カデナックスＤＭ１２Ｄ−Ｗ、ライオン・スペシャリティ・ケミカルズ社製）、デシルジメチルアミンオキシド（商品名：カデナックスＤＭ１０Ｄ−Ｗ、ライオン・スペシャリティ・ケミカルズ社製）、ミリスチルジメチルアミンオキシド（商品名：カデナックスＤＭ１４Ｄ−Ｗ、ライオン・スペシャリティ・ケミカルズ社製）、ラウロイルアミドプロピルジメチルアミンオキシド、ポリオキシエチレンデシルエーテル（商品名：セフティカットＬＩ−３０８５、青木油脂工業社製）、ラウリルジメチル酢酸ベタイン（商品名：リカビオンＡ−１００、新日本理化社製）、ＩＰソルベント２０２８、ＩＰソルベント１６２０（Ｃ12−Ｃ16イソパラフィン、出光興産社製）、ネオチオゾール（Ｃ12−Ｃ16ノルマルパラフィン、中央化成社製）、アイソパーＬ（Ｃ11−Ｃ13イソパラフィン、東燃ゼネラル石油社製）、アイソパーＭ（Ｃ11−Ｃ13イソパラフィン、東燃ゼネラル石油社製）、エタノール、イソプロピルアルコール（ＩＰＡ、和光純薬工業社製）、フェノキシエタノール、プロピレングリコールモノブチルエーテル（商品名：ダワノールＰｎＢ、ダウ・ケミカル日本社製）、ジプロピレングリコールモノブチルエーテル（商品名：ダワノールＤＰｎＢ、ダウ・ケミカル日本社製）、トリプロピレングリコールモノブチルエーテル（商品名：ダワノールＴＰｎＢ、ダウ・ケミカル日本社製）、クエン酸三ナトリウム、クエン酸三カリウム、乳酸ナトリウム、リンゴ酸二ナトリウム、エチレンジアミン４酢酸ナトリウム（ＥＤＴＡ−４Ｎａ）、コハク酸、コハク酸二ナトリウム、フマル酸二ナトリウム（以上、和光純薬工業社製）を表１に示す配合割合（質量％）で配合し、精製水を加えて１００質量％として洗浄液を得た。この洗浄液に噴射剤としてＬＰＧ、ＤＭＥと共にエアゾール容器に入れ、表１に示す組成の発泡性洗剤組成物（本発明１〜８）を調製した。同様に、上記成分にリン酸三ナトリウムを加えた各成分を表２に示す配合割合（質量％）で配合し、精製水を加えて１００質量％として洗浄液を得た。この洗浄液に噴射剤としてＬＰＧ、ＤＭＥと共にエアゾール容器に入れ、表２に示す組成の発泡性洗剤組成物（比較例１〜５）を調製した。本発明１〜８および比較例１〜５の発泡性洗剤組成物を用いて下記の洗浄力試験、泡性能試験を行った。結果を表３に示す。【００４３】
【表１】
2018021110.tif 000003
【００４４】
【表２】
2018021110.tif 000004
注１；各成分の数字は質量％
注２；ラウリルジメチルアミンオキシド
注３；デシルジメチルアミンオキシド
注４；ミリスチルジメチルアミンオキシド
注５；ラウロイルアミドプロピルジメチルアミンオキシド
注６；ポリオキシエチレンデシルエーテル
注７；ラウリルジメチル酢酸ベタイン【００４５】
（１）洗浄力試験
屋外に長期間放置した網戸の網面に各種発泡性洗剤組成物をスプレーし、５分間放置後、水洗して、網面の洗浄状態を観察し、以下の基準で評価した。
○：汚れが完全に落ちた
△：汚れが一部残った
×：汚れがほとんど落ちていなかった【００４６】
（２）泡性能試験
網戸の網面に各種発泡性洗剤組成物をスプレーしたときの、発泡性、泡の付着性、泡の飛び散り、網戸上での消泡性を観察し、以下の基準で評価した。
＜発泡性＞
○：発泡性がよい
△：発泡はするが、十分ではない
×：ほとんど発泡しない
＜泡の付着性＞
○：付着率９０％以上
△：付着率５０〜９０％
×：付着率５０％以下
＜泡の飛び散り＞
○：ほとんどない
△：少しある
×：多い
＜網戸上での消泡性＞
◎：１５秒以内にシャープに消泡
○：２０秒以内にシャープに消泡
△：３０秒以内に消泡するが明瞭ではない
×：泡が消えるまでに３０秒より長い時間がかかる【００４７】
【表３】
2018021110.tif 000005
【００４８】
試験の結果、消泡効果増強剤として有機酸の塩を配合した本発明の発泡性洗剤組成物（本発明１〜８）はいずれも網戸の洗浄に際して、発泡性がよく、擦ることなく汚れを落とし、更に泡状体は２０秒以内にストロボ状にパチパチと消泡することが確認された。特に、有機酸の塩としてクエン酸三ナトリウム、クエン酸三カリウム、乳酸ナトリウム、リンゴ酸ニナトリウム、コハク酸二ナトリウムを使用した本発明１〜４及び７では、噴霧された泡状体が網戸面に付着し、その泡状体は泡状体のまま垂れ落ちることなく１５秒以内に消泡し、網戸等の洗浄作業は極めて効率的なものとなった。【００４９】
これに対し、有機酸の塩を配合しなかった場合（比較例１、３〜５）および有機酸の塩に代えてリン酸三ナトリウムを加えた場合（比較例２）では２０秒を超える消泡時間を要し、消泡性が劣り洗浄の作業性が劣った。【００５０】
本発明の発泡性洗剤組成物は、網戸やエアコンフィルターに用いられるほか、窓ガラス、換気扇、トイレ、浴槽、自動車等の洗浄、あるいは泡状にして有効成分を付着させるような製剤、例えば除菌剤、虫除け剤等の分野に好適に利用可能である。
【国際調査報告】
2018021110.tif 000006
2018021110.tif 000007
2018021110.tif 000008
2018021110.tif 000009